(57)【要約】【課題】「Ｉｎｔｅｒ-ｎｏｄｅ  ＵＰ  ａｇｇｒｅｇａｔｉｏｎ」を実現する。【解決手段】本発明に係る移動局ＵＥは、無線基地局ＭｅＮＢ用のＭＡＣレイヤ機能と、無線基地局ＳｅＮＢ用のＭＡＣレイヤ機能とを具備しており、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダにＭＡＣ-ＩＤが付与されているか否かに基づいて、かかるＭＡＣ-ＰＤＵが自身で管理している論理チャネル宛てのものであるか否かについて判定するように構成されている。【選択図】図４
2015035762.tif 000002
【特許請求の範囲】
【請求項１】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、物理レイヤ機能を介して受信したＭＡＣ-ＰＤＵのヘッダに所定識別情報が付与されているか否かに基づいて、該ＭＡＣ-ＰＤＵが自身で管理している論理チャネル宛てのものであるか否かについて判定するように構成されていることを特徴とする移動局。
【請求項２】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、物理レイヤ機能を介して受信したＭＡＣ-ＰＤＵのヘッダに含まれている論理チャネル識別情報に基づいて、該ＭＡＣ-ＰＤＵが自身で管理している論理チャネル宛てのものであるか否かについて判定するように構成されていることを特徴とする移動局。
【請求項３】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに所定識別情報が付与されているか否かに基づいて、該ＭＡＣ-ＳＤＵが自身で処理すべきものであるか否かについて判定するように構成されていることを特徴とする移動局。
【請求項４】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに含まれている論理チャネル識別情報に基づいて、該ＭＡＣ-ＳＤＵが自身で処理すべきものであるか否かについて判定するように構成されていることを特徴とする移動局。
【請求項５】
移動局が、第１無線基地局配下のコンポーネントキャリア及び第２無線基地局配下のコンポーネントキャリアを用いてキャリアアグリゲーションを行うことができるように構成されている移動通信システムにおいて、該第２無線基地局として機能することができる無線基地局であって、
ＭＡＣレイヤ機能を具備しており、
前記ＭＡＣレイヤ機能は、ＲＬＣレイヤ機能を介して受信するＭＡＣ-ＳＤＵのヘッダに所定識別情報を付与するように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０までで規定されているＣＡ（Ｃａｒｒｉｅｒ  Ａｇｇｒｅｇａｔｉｏｎ、キャリアアグリゲーション）では、図１４（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【０００３】
図１５に、かかるＣＡを実現するための無線基地局ｅＮＢにおけるレイヤ２機能の構成について示す。
【０００４】
図１５に示すように、かかるレイヤ２機能では、１つの移動局ＵＥに対して、上りリンク及び下りリンクのそれぞれにおいて、ＥＰＳ（Ｅｖｏｌｖｅｄ  Ｐａｃｋｅｔ  Ｓｙｓｔｅｍ）ベアラごとに、個別のＰＤＣＰ（Ｐａｃｋｅｔ  Ｄａｔａ  Ｃｏｎｖｅｒｇｅｎｃｅ  Ｐｒｏｔｏｃｏｌ）レイヤ機能（ＰＤＣＰ  ｅｎｔｉｔｙ）及びＲＬＣ（Ｒａｄｉｏ  Ｌｉｎｋ  Ｃｏｎｔｒｏｌ）レイヤ機能（ＲＬＣ  ｅｎｔｉｔｙ）が設けられるように構成されている。
【０００５】
すなわち、かかるレイヤ２機能では、ＥＰＳベアラごとに、個別のＰＤＣＰレイヤ機能及びＲＬＣレイヤ機能の設定を行うように構成されている。
【０００６】
また、かかるレイヤ２機能では、ＭＡＣ（Ｍｅｄｉａ  Ａｃｃｅｓｓ  Ｃｏｎｔｒｏｌレイヤ機能（ＭＡＣ  ｅｎｔｉｔｙ）において、複数のベアラを多重するように構成されている。
【０００７】
すなわち、かかるレイヤ２機能では、１つの移動局ＵＥに対して、上りリンク及び下りリンクそれぞれにおいて、１つのＭＡＣレイヤ機能を設定するように構成されている。
【０００８】
また、かかるＣＡを実現するための移動局ＵＥにおけるレイヤ２機能では、上りリンク及び下りリンクそれぞれにおいて、１つのＭＡＣレイヤ機能が設けられ、ＥＰＳベアラごとに、個別のＰＤＣＰレイヤ機能及びＲＬＣレイヤ機能が設けられるように構成されている。
【０００９】
一方、ＬＴＥ方式のＲｅｌｅａｓｅ-１２では、ＬＴＥ方式のＲｅｌｅａｓｅ-１０までのＣＡを拡張して、図１４（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｎｏｄｅ  ＵＰ  ａｇｇｒｅｇａｔｉｏｎ」が検討されている（非特許文献１）。
【００１０】
例えば、全てのＣＣを単一の無線基地局ｅＮＢ内に収容することができない場合に、ＬＴＥ方式のＲｅｌｅａｓｅ１０と同程度のスループットを実現するためには、「Ｉｎｔｅｒ-ｎｏｄｅ  ＵＰ  ａｇｇｒｅｇａｔｉｏｎ」を行うことが必要となる。
【先行技術文献】
【非特許文献】
【００１１】
【非特許文献２】３ＧＰＰ寄書Ｒ２-１３２２５０
【発明の概要】
【発明が解決しようとする課題】
【００１２】
「Ｉｎｔｅｒ-ｎｏｄｅ  ＵＰ  ａｇｇｒｅｇａｔｉｏｎ」を実現するためには、移動局ＵＥは、異なる無線基地局ｅＮＢとの間でデータを送受信するためのベアラを設定する必要がある。
【００１３】
しかしながら、１つのＭＡＣレイヤ機能しか設けられていない既存の移動局ＵＥにおけるレイヤ２機能では、異なる無線基地局ｅＮＢとの間でベアラを設定することができず、「Ｉｎｔｅｒ-ｎｏｄｅ  ＵＰ  ａｇｇｒｅｇａｔｉｏｎ」を実現することができないという問題点があった。
【００１４】
そこで、本発明は、上述の課題に鑑みてなされたものであり、「Ｉｎｔｅｒ-ｎｏｄｅ  ＵＰ  ａｇｇｒｅｇａｔｉｏｎ」を実現することができる移動局及び無線基地局を提供することを目的とする。
【課題を解決するための手段】
【００１５】
本発明の第１の特徴は、第１無線基地局配下のコンポーネントキャリア及び第２無線基地局配下のコンポーネントキャリアを用いてキャリアアグリゲーションを行うことができるように構成されている移動局であって、前記第１無線基地局用のＭＡＣレイヤ機能と、前記第２無線基地局用のＭＡＣレイヤ機能とを具備しており、前記第１無線基地局用のＭＡＣレイヤ機能及び前記第２無線基地局用のＭＡＣレイヤ機能は、物理レイヤ機能を介して受信したＭＡＣ-ＰＤＵのヘッダに所定識別情報が付与されているか否かに基づいて、該ＭＡＣ-ＰＤＵが自身で管理している論理チャネル宛てのものであるか否かについて判定するように構成されていることを要旨とする。
【００１６】
本発明の第２の特徴は、第１無線基地局配下のコンポーネントキャリア及び第２無線基地局配下のコンポーネントキャリアを用いてキャリアアグリゲーションを行うことができるように構成されている移動局であって、前記第１無線基地局用のＭＡＣレイヤ機能と、前記第２無線基地局用のＭＡＣレイヤ機能とを具備しており、前記第１無線基地局用のＭＡＣレイヤ機能及び前記第２無線基地局用のＭＡＣレイヤ機能は、物理レイヤ機能を介して受信したＭＡＣ-ＰＤＵのヘッダに含まれている論理チャネル識別情報に基づいて、該ＭＡＣ-ＰＤＵが自身で管理している論理チャネル宛てのものであるか否かについて判定するように構成されていることを要旨とする。
【００１７】
本発明の第３の特徴は、第１無線基地局配下のコンポーネントキャリア及び第２無線基地局配下のコンポーネントキャリアを用いてキャリアアグリゲーションを行うことができるように構成されている移動局であって、前記第１無線基地局用のＭＡＣレイヤ機能と、前記第２無線基地局用のＭＡＣレイヤ機能とを具備しており、前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに所定識別情報が付与されているか否かに基づいて、該ＭＡＣ-ＳＤＵが自身で処理すべきものであるか否かについて判定するように構成されていることを要旨とする。
【００１８】
本発明の第４の特徴は、第１無線基地局配下のコンポーネントキャリア及び第２無線基地局配下のコンポーネントキャリアを用いてキャリアアグリゲーションを行うことができるように構成されている移動局であって、前記第１無線基地局用のＭＡＣレイヤ機能と、前記第２無線基地局用のＭＡＣレイヤ機能とを具備しており、前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに含まれている論理チャネル識別情報に基づいて、該ＭＡＣ-ＳＤＵが自身で処理すべきものであるか否かについて判定するように構成されていることを要旨とする。
【００１９】
本発明の第５の特徴は、移動局が、第１無線基地局配下のコンポーネントキャリア及び第２無線基地局配下のコンポーネントキャリアを用いてキャリアアグリゲーションを行うことができるように構成されている移動通信システムにおいて、該第２無線基地局として機能することができる無線基地局であって、ＭＡＣレイヤ機能を具備しており、前記ＭＡＣレイヤ機能は、ＲＬＣレイヤ機能を介して受信するＭＡＣ-ＳＤＵのヘッダに所定識別情報を付与するように構成されていることを要旨とする。
【発明の効果】
【００２０】
以上説明したように、本発明によれば、「Ｉｎｔｅｒ-ｎｏｄｅ  ＵＰ  ａｇｇｒｅｇａｔｉｏｎ」を実現することができる移動局及び無線基地局を提供することができる。
【図面の簡単な説明】
【００２１】
【図１】本発明の第１の実施形態に係る移動通信システムの全体構成図である。
【図２】本発明の第１の実施形態に係る移動通信システムにおけるＵ-ｐｌａｎｅデータの流れを示す図である。
【図３】本発明の第１の実施形態に係る無線基地局ｅＮＢ＃１/ｅＮＢ＃２のプロトコルスタックを示す図である。
【図４】本発明の第１の実施形態に係る移動局ＵＥの機能を示す図である。
【図５】本発明の第１の実施形態に係る移動通信システムの動作を示すシーケンス図である。
【図６】本発明の第１の実施形態の変更例に係る無線基地局ｅＮＢ＃１/ｅＮＢ＃２のプロトコルスタックを示す図である。
【図７】本発明の第１の実施形態の変更例に係る無線基地局ｅＮＢ＃１/ｅＮＢ＃２のプロトコルスタックを示す図である。
【図８】本発明の第１の実施形態の変更例に係る無線基地局ｅＮＢ＃１/ｅＮＢ＃２のプロトコルスタックを示す図である。
【図９】本発明の第２の実施形態に係る移動通信システムにおけるＵ-ｐｌａｎｅデータの流れを示す図である。
【図１０】本発明の第２の実施形態に係る無線基地局ｅＮＢ＃１/ｅＮＢ＃２のプロトコルスタックを示す図である。
【図１１】本発明の第２の実施形態に係る移動局ＵＥの機能を示す図である。
【図１２】本発明の第２の実施形態の変更例に係る無線基地局ｅＮＢ＃１/ｅＮＢ＃２のプロトコルスタックを示す図である。
【図１３】本発明の第２の実施形態の変更例に係る無線基地局ｅＮＢ＃１/ｅＮＢ＃２のプロトコルスタックを示す図である。
【図１４】従来技術を説明するための図である。
【図１５】従来技術を説明するための図である。
【発明を実施するための形態】
【００２２】
（本発明の第１の実施形態に係る移動通信システム）
図１乃至図８を参照して、本発明の第１の実施形態に係る移動通信システムについて説明する。
【００２３】
図１に示すように、本実施形態に係る移動通信システムは、ＬＴＥ方式の移動通信システムであって、ゲートウェイ装置Ｓ-ＧＷと、無線基地局ｅＮＢ＃１と、無線基地局ｅＮＢ＃２と、移動局ＵＥとを具備している。
【００２４】
本実施形態に係る移動通信システムでは、移動局ＵＥは、無線基地局ｅＮＢ＃１配下のＣＣ＃１及び無線基地局ｅＮＢ＃２配下のＣＣ＃２を用いてＣＡを行うことができるように構成されている。
【００２５】
すなわち、本実施形態に係る移動通信システムは、「Ｉｎｔｅｒ-ｎｏｄｅ  ＵＰ  ａｇｇｒｅｇａｔｉｏｎ」を行うことができるように構成されている。
【００２６】
なお、かかる「Ｉｎｔｅｒ-ｎｏｄｅ  ＵＰ  ａｇｇｒｅｇａｔｉｏｎ」が行われている場合には、移動局ＵＥは、１つ又は複数のＥＰＳベアラを用いて通信するように構成されている。
【００２７】
本実施形態に係る移動通信システムでは、無線基地局ｅＮＢ＃１が、マクロセルを管理する無線基地局ｅＮＢのような無線基地局ＭｅＮＢ（Ｍａｓｔｅｒ  ｅＮＢ）であり、無線基地局ｅＮＢ＃２が、スモールセルを管理する無線基地局ｅＮＢのような無線基地局ＳｅＮＢ（Ｓｅｃｏｎｄａｒｙ  ｅＮＢ）であるものとする。
【００２８】
また、本実施形態に係る移動通信システムにおいて、図２（ａ）及び図２（ｂ）に示すように、「Ｉｎｔｅｒ-ｎｏｄｅ  ＵＰ  ａｇｇｒｅｇａｔｉｏｎ」が行われている場合には、同一のＥＰＳベアラ上のＵ-ｐｌａｎｅデータは、無線基地局ＭｅＮＢ及び無線基地局ＳｅＮＢのどちらか一方にしか流れないように構成されている。
【００２９】
なお、Ｕ-ｐｌａｎｅデータは、図２（ａ）に示すように、ゲートウェイ装置Ｓ-ＧＷから無線基地局ＳｅＮＢに流れるように構成されていてもよいし、図２（ｂ）に示すように、無線基地局ＭｅＮＢから無線基地局ＳｅＮＢに流れるように構成されていてもよい。
【００３０】
また、図３に示すように、本実施形態に係る移動通信システムでは、無線基地局ＭｅＮＢ及び無線基地局ＳｅＮＢが、それぞれＭＡＣレイヤ機能とＲＬＣレイヤ機能とＰＤＣＰレイヤ機能とを具備している。
【００３１】
図４に示すように、移動局ＵＥは、レイヤ２機能として、無線基地局ＭｅＮＢ用のＭＡＣレイヤ機能と、無線基地局ＳｅＮＢ用のＭＡＣレイヤ機能とを具備している。
【００３２】
また、移動局ＵＥは、レイヤ２機能として、ＥＰＳベアラごとに、個別のＰＤＣＰレイヤ機能とＲＬＣレイヤ機能とを具備している。
【００３３】
ここで、下りリンクにおいて、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダにＭＡＣ-ＩＤが付与されているか否かに基づいて、かかるＭＡＣ-ＰＤＵが自身で管理している論理チャネル（ＥＰＳベアラ）宛てのものであるか否かについて判定するように構成されていてもよい。
【００３４】
例えば、無線基地局ＭｅＮＢ用のＭＡＣレイヤ機能は、物理レイヤ機能を介して受信したＭＡＣ-ＰＤＵのヘッダにＭＡＣ-ＩＤが付与されていない場合に、かかるＭＡＣ-ＰＤＵが自身で管理している論理チャネル宛てのものであると判定するように構成されていてもよい。
【００３５】
かかる特徴によれば、既存のＬＴＥ方式との「ｂａｃｋｗａｒｄ  ｃｏｍｐａｔｉｂｉｌｉｔｙ」を実現することができる。すなわち、無線基地局ＭｅＮＢ用のＭＡＣレイヤ機能は、既存のＬＴＥ方式におけるＭＡＣレイヤ機能であってもよい。
【００３６】
一方、無線基地局ＳｅＮＢ用のＭＡＣレイヤ機能は、物理レイヤ機能を介して受信したＭＡＣ-ＰＤＵのヘッダにＭＡＣ-ＩＤが付与されている場合に、かかるＭＡＣ-ＰＤＵが自身で管理している論理チャネル宛てのものであると判定するように構成されていてもよい。
【００３７】
かかる場合、無線基地局ＳｅＮＢにおけるＭＡＣレイヤ機能は、ＲＬＣレイヤ機能を介して受信するＭＡＣ-ＳＤＵのヘッダにＭＡＣ-ＩＤを付与するように構成されている。
【００３８】
一方、無線基地局ＭｅＮＢにおけるＭＡＣレイヤ機能は、ＲＬＣレイヤ機能を介して受信するＭＡＣ-ＳＤＵのヘッダにＭＡＣ-ＩＤを付与しないように構成されている。
【００３９】
或いは、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダに付与されているＭＡＣ-ＩＤの値に基づいて、かかるＭＡＣ-ＰＤＵが自身で管理している論理チャネル宛てのものであるか否かについて判定するように構成されている。
【００４０】
なお、かかるＭＡＣ-ＩＤは、無線基地局ＭｅＮＢ又は無線基地局ＳｅＮＢによって、「ＲＲＣＣｏｎｎｅｃｔｉｏｎＲｅｃｏｎｆｉｇｕｒａｔｉｏｎ」等のＲＲＣレイヤ信号を用いて通知されるように構成されている。
【００４１】
また、下りリンクにおいて、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダに含まれているＬＣＮ-ＩＤ（Ｌｏｇｉｃａｌ  Ｃｈａｎｎｅｌ  ＩＤ）に基づいて、かかるＭＡＣ-ＰＤＵが自身で管理している論理チャネル宛てのものであるか否かについて判定するように構成されていてもよい。
【００４２】
かかる場合、無線基地局ＭｅＮＢ用のＭＡＣレイヤ機能及び無線基地局ＳｅＮＢ用のＭＡＣレイヤ機能は、それぞれ、自身で管理している論理チャネルのＬＣＮ-ＩＤを記憶するように構成されている。
【００４３】
なお、かかるＬＣＮ-ＩＤは、既存のＬＴＥ方式で用いられているＬＣＮ-ＩＤであってもよい。
【００４４】
一方、上りリンクにおいて、無線基地局ＭｅＮＢ用のＭＡＣレイヤ機能及び無線基地局ＳｅＮＢ用のＭＡＣレイヤ機能は、ＲＬＣレイヤ機能を介して受信したＭＡＣ-ＳＤＵのヘッダにＭＡＣ-ＩＤが付与されているか否かに基づいて、かかるＭＡＣ-ＳＤＵが自身で処理すべきものであるか否かについて判定するように構成されていてもよい。
【００４５】
例えば、無線基地局ＭｅＮＢ用のＭＡＣレイヤ機能は、ＲＬＣレイヤ機能を介して受信したＭＡＣ-ＳＤＵのヘッダにＭＡＣ-ＩＤが付与されていない場合に、かかるＭＡＣ-ＳＤＵが自身で処理すべきものであると判定するように構成されていてもよい。
【００４６】
かかる特徴によれば、既存のＬＴＥ方式との「ｂａｃｋｗａｒｄ  ｃｏｍｐａｔｉｂｉｌｉｔｙ」を実現することができる。すなわち、無線基地局ＭｅＮＢ用のＭＡＣレイヤ機能は、既存のＬＴＥ方式におけるＭＡＣレイヤ機能であってもよい。
【００４７】
一方、無線基地局ＳｅＮＢ用のＭＡＣレイヤ機能は、ＲＬＣレイヤ機能を介して受信したＭＡＣ-ＳＤＵのヘッダにＭＡＣ-ＩＤが付与されている場合に、かかるＭＡＣ-ＳＤＵが自身で処理すべきものであると判定するように構成されていてもよい。
【００４８】
或いは、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＳＤＵのヘッダに付与されているＭＡＣ-ＩＤの値に基づいて、かかるＭＡＣ-ＳＤＵが自身で処理すべきものであるか否かについて判定するように構成されている。
【００４９】
また、上りリンクにおいて、無線基地局ＭｅＮＢ用のＭＡＣレイヤ機能及び無線基地局ＳｅＮＢ用のＭＡＣレイヤ機能は、ＲＬＣレイヤ機能を介して受信したＭＡＣ-ＳＤＵのヘッダに含まれているＬＣＮ-ＩＤに基づいて、かかるＭＡＣ-ＳＤＵが自身で処理すべきものであるか否かについて判定するように構成されていてもよい。
【００５０】
かかる場合、無線基地局ＭｅＮＢ用のＭＡＣレイヤ機能及び無線基地局ＳｅＮＢ用のＭＡＣレイヤ機能は、それぞれ、自身で管理している論理チャネルのＬＣＮ-ＩＤを記憶するように構成されている。
【００５１】
なお、かかるＬＣＮ-ＩＤは、既存のＬＴＥ方式で用いられているＬＣＮ-ＩＤであってもよい。
【００５２】
以下、図５を参照して、本実施形態に係る移動通信システムの動作について説明する。
【００５３】
図５に示すように、ステップＳ１００１において、移動局ＵＥが、無線基地局ＭｅＮＢとの間で接続状態である場合に、無線基地局ＭｅＮＢ（又は、無線基地局ＳｅＮＢ）が、無線基地局ＳｅＮＢ（又は、無線基地局ＳｅＮＢによって提供されるＣＣ）、及び、無線基地局ＳｅＮＢ上で送受信するＥＰＳベアラの設定を行う。
【００５４】
ステップＳ１００２において、無線基地局ＭｅＮＢ（又は、無線基地局ＳｅＮＢ）が、移動局ＵＥに対して、「ＲＲＣＣｏｎｎｅｃｔｉｏｎＲｅｃｏｎｆｉｇｕｒａｔｉｏｎ」を送信する。
【００５５】
かかる「ＲＲＣＣｏｎｎｅｃｔｉｏｎＲｅｃｏｎｆｉｇｕｒａｔｉｏｎ」は、設定したＥＰＳベアラ用の「ＰＤＣＰ/ＲＬＣ  Ｃｏｎｆｉｇ」や「ＭＡＣ-ＭａｉｎＣｏｎｆｉｇ」や「ＭＡＣ-ＩＤ」や当該ＭＡＣレイヤ機能に括り付く「ＳｃｅｌｌＩｎｄｅｘ」等を通知するように構成されている。
【００５６】
ステップＳ１００３において、移動局ＵＥが、無線基地局ＭｅＮＢ（又は、無線基地局ＳｅＮＢ）に対して、かかる「ＲＲＣＣｏｎｎｅｃｔｉｏｎＲｅｃｏｎｆｉｇｕｒａｔｉｏｎ」に対する「ＲＲＣＣｏｎｎｅｃｔｉｏｎＲｅｃｏｎｆｉｇｕｒａｔｉｏｎＣｏｍｐｌｅｔｅ」を送信する。
【００５７】
ステップＳ１００４において、無線基地局ＭｅＮＢ（又は、無線基地局ＳｅＮＢ）が、無線基地局ＳｅＮＢ（無線基地局ＳｅＮＢ上のＣＣ）で送受信するＥＰＳベアラを設定する。
【００５８】
ステップＳ１００５において、無線基地局ＭｅＮＢ（又は、無線基地局ＳｅＮＢ）が、移動局ＵＥに対して、「ＲＲＣＣｏｎｎｅｃｔｉｏｎＲｅｃｏｎｆｉｇｕｒａｔｉｏｎ」を送信する。
【００５９】
かかる「ＲＲＣＣｏｎｎｅｃｔｉｏｎＲｅｃｏｎｆｉｇｕｒａｔｉｏｎ」は、設定したＥＰＳベアラ用の「ＰＤＣＰ/ＲＬＣ  Ｃｏｎｆｉｇ」や「ＭＡＣ-ＩＤ」等を通知するように構成されている。
【００６０】
なお、本実施形態に係る移動通信システムにおいて、無線基地局ＭｅＮＢ及び無線基地局ＳｅＮＢのプロトコルスタックは、図６乃至図８に示すように構成されていてもよい。
【００６１】
本実施形態に係る移動通信システムによれば、「Ｉｎｔｅｒ-ｎｏｄｅ  ＵＰ  ａｇｇｒｅｇａｔｉｏｎ」を開始する際に、移動局ＵＥが、無線基地局ＭｅＮＢ及び無線基地局ＳｅＮＢに対して別々のＭＡＣレイヤ機能を設定し、各ＭＡＣレイヤ機能が処理すべきＥＰＳベアラを設定することによって、「Ｉｎｔｅｒ-ｎｏｄｅ  ＵＰ  ａｇｇｒｅｇａｔｉｏｎ」が行われる場合であっても、無線基地局ｅＮＢごとに、どのＥＰＳベアラをどのＭＡＣレイヤ機能で多重すべきか等について適切に処理することができる。
【００６２】
（本発明の第２の実施形態に係る移動通信システム）
以下、図９乃至図１１を参照して、本発明の第２の実施形態に係る移動通信システムについて、上述の第１の実施形態に係る移動通信システムとの相違点に着目して説明する。
【００６３】
本実施形態に係る移動通信システムでは、図９に示すように、「Ｉｎｔｅｒ-ｎｏｄｅ  ＵＰ  ａｇｇｒｅｇａｔｉｏｎ」が行われている場合には、同一のＥＰＳベアラ上のＵ-ｐｌａｎｅデータ（例えば、ＥＰＳベアラ＃２上のＵ-ｐｌａｎｅデータ）は、無線基地局ＭｅＮＢ及び無線基地局ＳｅＮＢの両方に流れるように構成されている。
【００６４】
また、図１０に示すように、本実施形態に係る移動通信システムでは、無線基地局ＭｅＮＢが、ＥＰＳベアラ＃１用のレイヤ２機能に加えて、ＥＰＳベアラ＃２用のレイヤ２機能についても具備するように構成されている。
【００６５】
図１１に示すように、本実施形態に係る移動通信システムでは、移動局ＵＥは、同一のＥＰＳベアラ（図１１の例では、ＥＰＳベアラ＃２）用のＰＤＣＰレイヤ機能及びＲＬＣレイヤ機能を、無線基地局ＭｅＮＢ用のレイヤ２機能及び無線基地局ＳｅＮＢ用のレイヤ２機能の双方に設定するように構成されている。
【００６６】
すなわち、無線基地局ＭｅＮＢ用のＭＡＣレイヤ機能及び無線基地局ＳｅＮＢ用のＭＡＣレイヤ機能の双方が、ＥＰＳベアラ＃２を、自身が管理する論理チャネル（ＥＰＳベアラ）とするように構成されている。
【００６７】
以上に述べた本実施形態の特徴は、以下のように表現されていてもよい。
【００６８】
本実施形態の第１の特徴は、無線基地局ＭｅＮＢ（第１無線基地局）配下のＣＣ（コンポーネントキャリア）及び無線基地局ＳｅＮＢ（第２無線基地局）配下のＣＣを用いてＣＡ（キャリアアグリゲーション）を行うことができるように構成されている移動局ＵＥであって、無線基地局ＭｅＮＢ用のＭＡＣレイヤ機能と、無線基地局ＳｅＮＢ用のＭＡＣレイヤ機能とを具備しており、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダにＭＡＣ-ＩＤ（所定識別情報）が付与されているか否かに基づいて、かかるＭＡＣ-ＰＤＵが自身で管理している論理チャネル宛てのものであるか否かについて判定するように構成されていることを要旨とする。
【００６９】
本実施形態の第２の特徴は、無線基地局ＭｅＮＢ配下のＣＣ及び無線基地局ＳｅＮＢ配下のＣＣを用いてＣＡを行うことができるように構成されている移動局ＵＥであって、無線基地局ＭｅＮＢ用のＭＡＣレイヤ機能と、無線基地局ＳｅＮＢ用のＭＡＣレイヤ機能とを具備しており、無線基地局ＭｅＮＢ用のＭＡＣレイヤ機能及び無線基地局ＳｅＮＢ用のＭＡＣレイヤ機能は、物理レイヤ機能を介して受信したＭＡＣ-ＰＤＵのヘッダに含まれているＬＣＮ-ＩＤ（論理チャネル識別情報）に基づいて、かかるＭＡＣ-ＰＤＵが自身で管理している論理チャネル宛てのものであるか否かについて判定するように構成されていることを要旨とする。
【００７０】
本実施形態の第３の特徴は、無線基地局ＭｅＮＢ配下のＣＣ及び無線基地局ＳｅＮＢ配下のＣＣを用いてＣＡを行うことができるように構成されている移動局ＵＥであって、無線基地局ＭｅＮＢ用のＭＡＣレイヤ機能と、無線基地局ＳｅＮＢ用のＭＡＣレイヤ機能とを具備しており、無線基地局ＭｅＮＢ用のＭＡＣレイヤ機能及び無線基地局ＳｅＮＢ用のＭＡＣレイヤ機能は、ＲＬＣレイヤ機能を介して受信したＭＡＣ-ＳＤＵのヘッダにＭＡＣ-ＩＤが付与されているか否かに基づいて、かかるＭＡＣ-ＳＤＵが自身で処理すべきものであるか否かについて判定するように構成されていることを要旨とする。
【００７１】
本実施形態の第４の特徴は、無線基地局ＭｅＮＢ配下のＣＣ及び無線基地局ＳｅＮＢ配下のＣＣを用いてＣＡを行うことができるように構成されている移動局ＵＥであって、無線基地局ＭｅＮＢ用のＭＡＣレイヤ機能と、無線基地局ＳｅＮＢ用のＭＡＣレイヤ機能とを具備しており、無線基地局ＭｅＮＢ用のＭＡＣレイヤ機能及び無線基地局ＳｅＮＢ用のＭＡＣレイヤ機能は、ＲＬＣレイヤ機能を介して受信したＭＡＣ-ＳＤＵのヘッダに含まれているＬＣＮ-ＩＤに基づいて、かかるＭＡＣ-ＳＤＵが自身で処理すべきものであるか否かについて判定するように構成されていることを要旨とする。
【００７２】
本実施形態の第５の特徴は、移動局ＵＥが、無線基地局ＭｅＮＢ配下のＣＣ及び無線基地局ＳｅＮＢ配下のＣＣを用いてＣＡを行うことができるように構成されている移動通信システムにおいて、無線基地局ＳｅＮＢとして機能することができる無線基地局ｅＮＢであって、ＭＡＣレイヤ機能を具備しており、かかるＭＡＣレイヤ機能は、ＲＬＣレイヤ機能を介して受信するＭＡＣ-ＳＤＵのヘッダにＭＡＣ-ＩＤを付与するように構成されていることを要旨とする。
【００７３】
なお、上述の移動局ＵＥや無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２内に設けられていてもよい。また、かかる記憶媒体及びプロセッサは、ディスクリートコンポーネントとして移動局ＵＥや無線基地局ｅＮＢ＃１/ｅＮＢ＃２内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
Ｓ-ＧＷ…ゲートウェイ装置
ｅＮＢ＃１（ＭｅＮＢ）、ｅＮＢ＃２（ＳｅＮＢ）…無線基地局
ＵＥ…移動局
【図１】
2015035762.tif 000003
【図２】
2015035762.tif 000004
【図３】
2015035762.tif 000005
【図４】
2015035762.tif 000006
【図５】
2015035762.tif 000007
【図６】
2015035762.tif 000008
【図７】
2015035762.tif 000009
【図８】
2015035762.tif 000010
【図９】
2015035762.tif 000011
【図１０】
2015035762.tif 000012
【図１１】
2015035762.tif 000013
【図１２】
2015035762.tif 000014
【図１３】
2015035762.tif 000015
【図１４】
2015035762.tif 000016
【図１５】
2015035762.tif 000017
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、物理レイヤ機能を介して受信したＭＡＣ-ＰＤＵのヘッダに所定識別情報が付与されているか否かに基づいて、該ＭＡＣ-ＰＤＵが自身で管理している論理チャネル宛てのものであるか否かについて判定するように構成されていることを特徴とする移動局。
【請求項２】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、物理レイヤ機能を介して受信したＭＡＣ-ＰＤＵのヘッダに含まれている論理チャネル識別情報に基づいて、該ＭＡＣ-ＰＤＵが自身で管理している論理チャネル宛てのものであるか否かについて判定するように構成されていることを特徴とする移動局。
【請求項３】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに、前記ＭＡＣレイヤ機能を識別する所定識別情報が付与されているか否かに基づいて、該ＭＡＣ-ＳＤＵが自身で処理すべきものであるか否かについて判定するように構成されていることを特徴とする移動局。
【請求項４】
第１無線基地局配下のコンポーネントキャリア及び第２無線基地局配下のコンポーネントキャリアを用いてキャリアアグリゲーションを行うことができるように構成されている移動局であって、
前記第１無線基地局用のＭＡＣレイヤ機能と、
前記第２無線基地局用のＭＡＣレイヤ機能とを具備しており、
前記第１無線基地局用のＭＡＣレイヤ機能及び前記第２無線基地局用のＭＡＣレイヤ機能は、ＲＬＣレイヤ機能を介して受信したＭＡＣ-ＳＤＵのヘッダに含まれている論理チャネル識別情報に基づいて、該ＭＡＣ-ＳＤＵが自身で処理すべきものであるか否かについて判定するように構成されていることを特徴とする移動局。
【請求項５】
移動局が、第１無線基地局配下のコンポーネントキャリア及び第２無線基地局配下のコンポーネントキャリアを用いてキャリアアグリゲーションを行うことができるように構成されている移動通信システムにおいて、該第２無線基地局として機能することができる無線基地局であって、
ＭＡＣレイヤ機能を具備しており、
前記ＭＡＣレイヤ機能は、ＲＬＣレイヤ機能を介して受信するＭＡＣ-ＳＤＵのヘッダに、前記ＭＡＣレイヤ機能を識別する所定識別情報を付与するように構成されていることを特徴とする無線基地局。